(57)【特許請求の範囲】
【請求項１】
支柱間に架け渡された架線を切断する方法において、内蔵するネジ機構により伸縮し中間部に前記ネジ機構に回転力を入力する回転入力部を備えた伸縮棒と、伸縮棒の一端にその長手方向に直角なピンまわりに回動可能に取付けた第１の掴線器と、伸縮棒の他端に取付けた第2の掴線器と、先端が前記回転入力部に嵌合状態に接続される遠隔操作棒と、遠隔切断具とを用い、前記伸縮棒の一端側を持ち上げて前記第1の掴線器の掴線部を架線に吊持状態で引っ掛け、次に前記回転入力部に遠隔操作棒の先端を嵌合状態で接続した状態で、遠隔操作棒により伸縮棒の他端側を前記ピンまわりに持ち上げて前記伸縮棒を前記架線に沿わせた後に、前記第2の掴線器の掴線部を架線に吊持状態で引っ掛け、この状態で前記遠隔操作棒を操作し、前記回転入力部に回転を与えて伸縮棒を縮め、前記第1、第2の掴線器で架線の２箇所を掴持状態としつつ前記第1、第2の掴線器を接近させてその間の架線を撓ませ、この撓ませた部分を前記遠隔切断具で切断するようにしたことを特徴とする架線の切断方法。
【請求項２】
前記架線は活線であり、前記伸縮棒と前記遠隔操作棒と前記遠隔切断具とは、それぞれ絶縁部を有することを特徴とする請求項１に記載の架線の切断方法。
【発明の詳細な説明】
【０００１】
【発明の属する技術分野】
本発明は、電柱間に架け渡された高圧線等の活線を切断するために主として利用される架線の切断方法に関する。
【０００２】
【従来の技術】
従来、電柱と電柱との間に架け渡される高圧線等の活線を切断するには、作業員が電柱に登るかバケット車に乗った状態で、この作業員が活線の両側位置を掴線器で掴持し、その後にこれら両方の掴線器を引張具に接続し、この引張具を縮めて両方の掴線器を互いに引き寄せてこれら両方の掴線器で掴持された活線を撓ませ、このように活線を撓ませた状態で切断具で切断するようにしていた。
【０００３】
ところが、この従来の活線の切断作業では、作業員が電柱に登ったり、バケット車に乗った状態で、活線の近接箇所で切断作業を行っていたために、危険であるという問題があった。
【０００４】
また、両方の掴線器で活線を掴持し、これら両方の活線を引張具に接続する等、その作業工程が多くて面倒であり、作業能率が悪いという問題があった。
【０００５】
【発明が解決しようとする課題】
本発明は、上記従来の問題を解消し、活線等の架線の切断作業を一人の作業員だけでも簡単に行うことができて作業能率を高めることができ、しかも、活線等の架線の切断を遠隔操作によって行うことができて架線から離れた位置でこの架線の切断作業を行うことができて安全であり、作業性、操作性、安全性に優れた架線の切断方法を提供することを目的としている。
【０００６】
【課題を解決するための手段】
上記目的を達成するために、本発明の架線の切断方法は、支柱間に架け渡された架線を切断する方法において、内蔵するネジ機構により伸縮し中間部に前記ネジ機構に回転力を入力する回転入力部を備えた伸縮棒と、伸縮棒の一端にその長手方向に直角なピンまわりに回動可能に取付けた第１の掴線器と、伸縮棒の他端に取付けた第2の掴線器と、先端が前記回転入力部に嵌合状態に接続される遠隔操作棒と、遠隔切断具とを用い、前記伸縮棒の一端側を持ち上げて前記第1の掴線器の掴線部を架線に吊持状態で引っ掛け、次に前記回転入力部に遠隔操作棒の先端を嵌合状態で接続した状態で、遠隔操作棒により伸縮棒の他端側を前記ピンまわりに持ち上げて前記伸縮棒を前記架線に沿わせた後に、前記第2の掴線器の掴線部を架線に吊持状態で引っ掛け、この状態で前記遠隔操作棒を操作し、前記回転入力部に回転を与えて伸縮棒を縮め、前記第1、第2の掴線器で架線の２箇所を掴持状態としつつ前記第1、第2の掴線器を接近させてその間の架線を撓ませ、この撓ませた部分を前記遠隔切断具で切断するようにした。
【０００７】
また、前記架線は活線であり、前記伸縮棒と前記遠隔操作棒と前記遠隔切断具とは、それぞれ絶縁部を有することが好ましい。
【０００８】
本発明の架線の切断方法によると、伸縮棒の一端側に設けられた第1の掴線器の掴線部を架線に吊持状態で引っ掛け、次に伸縮棒の中間部の回転入力部に遠隔操作棒の先端を嵌合状態で接続した状態で、遠隔操作棒の他端を持ち上げて伸縮棒を架線に沿わせた後に、伸縮棒の他端側の第2の掴線器の掴線部を架線に吊持状態で引っ掛け、この状態で遠隔操作棒を操作し、回転入力部に回転を与えて伸縮棒を縮め、一対の掴線器で架線の２箇所を掴持状態としつつ２箇所の掴線器を接近させてその間の架線を撓ませ、この撓ませた部分を遠隔切断具で切断するようにしたので、この作業を遠隔操作で行えて、架線から離れた位置でこの架線の切断作業を行えるので、安全であり、しかも一人の作業員だけでも簡単に行うことができて作業能率を高めることができ、作業性、操作性、安全性に優れている。
【０００９】
また、架線が活線であり、伸縮棒と遠隔操作棒と遠隔切断具とが絶縁部を有していると、各絶縁部によって、活線の切断部分からの漏電が作業員に伝わることがないので、より一層安全に切断作業を行うことができる。
【００１０】
【発明の実施の形態】
以下、本発明に係る架線の切断方法について、図を参照しつつ説明する。
【００１１】
図１は本発明の実施形態の架線の切断方法で架線を切断する状態を示す正面図、図２は伸縮棒の一例を示す断面図、図３は掴線器の一例を示す正面図、図４〜図９は本実施形態の架線の切断方法による切断作業の手順を示す正面説明図である。
【００１２】
本実施形態の架線の切断方法では、架線が活線であるものについて説明する。
【００１３】
先ず、本実施形態の架線の切断方法に用いる器具について、図１、図２、図３を参照しつつ説明する。
【００１４】
図１において、符号１は伸縮棒であって、この伸縮棒１は、図２に示すように、内蔵する雄ネジ棒２とこの雄ネジ棒２に螺合する雌ネジ部３とからなるネジ機構４の螺進螺退によって伸縮し、中間部にネジ機構４に回転力を入力する回転入力部５を備えている。
【００１５】
この伸縮棒１の両端には、図３に示す一対の掴線器６が取付けられており、この一対の掴線器６の掴線部６ａで活線Ｋの２箇所を掴持するようになっている。
【００１６】
また、この伸縮棒１の回転入力部５には、図１に示すように、遠隔操作棒７が嵌合状態で接続されるようになっている。
【００１７】
更に、図１において、符号８は活線Ｋを切断するための遠隔切断具であって、活線Ｋの２箇所を一対の掴線器６の掴線部６ａで掴持した状態で、伸縮棒１が縮むことによって２箇所の掴線器６を接近させてその間の活線Ｋを撓ませて、この撓ませた部分を遠隔切断具８で切断するようにしている。
【００１８】
尚、伸縮棒１と遠隔操作棒７と遠隔切断具８とは、それぞれ絶縁部（図示略）を有している。
【００１９】
更に詳細に説明すると、伸縮棒１は、図２に示すように、大径の筒状体１ａとこの大径の筒状体１ａ内に出し入れ可能に挿入された小径の筒状体１ｂとで構成されている。この伸縮棒１を伸縮させるためのネジ機構４は、図２に示すように、大径の筒状体１ａ内に配設され、小径の筒状体１ｂの端部に形成された雌ネジ部３に螺合する雄ネジ棒２と、雄ネジ棒２の基端部に設けられた第１の傘歯車１０と、遠隔操作棒７の先端に着脱可能に取り付けられた接続具１１の軸部１２の先端に設けられ、第１の傘歯車１０に噛み合う第２の傘歯車１３とで構成されている。
【００２０】
そして、このネジ機構４は、遠隔操作棒７を回転し、回転入力部５を介して第２の傘歯車１３を回転させることによって第１の傘歯車１０を回転させ、この第１の傘歯車１０と一体に雄ネジ棒２を回転させてこの雄ネジ棒２に端部の雌ネジ部３を螺合された小径の筒状体１ｂを大径の筒状体１ａに対して出し入れさせることによって伸縮棒１を伸縮するように構成している。
【００２１】
また、掴線器６は、図３に示すように、伸縮棒１の端部に取り付けられる基杆１４と、この基杆１４に２本の連結杆１５、１６を含むクランク機構１７を介して接続され、前端側の連結杆１５に枢着された押さえ部１８と、下端部を２本の連結杆１５、１６に枢着され活線Ｋの上面に接する上辺部１９とで構成され、上辺部１９を活線Ｋの上面に接した状態で基杆１４を図１に示すように伸縮棒１を縮ませて内向き方向に移動させることによって、クランク機構１７を介して押さえ部１８を活線Ｋの下面に圧接させて、押さえ部１８と上辺部１９とから構成される掴線部７で伸縮棒１の両端側で活線Ｋの２箇所をそれぞれ掴持するようにに構成している。
【００２２】
尚、図２において、符号２１は伸縮棒１の小径の筒状体１ｂが雄ネジ棒２と一緒に回転することを阻止する回転阻止杆であり、符号２２、２３は小径の筒状体１ｂの先端と大径の筒状体１ａの先端にそれぞれ取り付けられた傘体であり、大径の筒状体１ａの外周面には、傘体２３から他方側に向けて撥水性塗料２５’が塗布されている。尚、傘体２２、２３は図１と図４〜図９では、その図示を省略している。
【００２３】
また、回転入力部５は、図２に示すように、その本体部分が筒状に形成されており、下端から略コ字径の係止溝５ａが形成されており、遠隔操作棒７を接続するときに、遠隔操作棒７の先端接続部分に外向きに突設された係止突起（図示略）がこの略コ字径の係止溝５ａに係入され、所定方向に回転させると係止突起が係止溝５ａに係止されて、遠隔操作棒７は回転入力部５に接続されるようになっている。遠隔操作棒７を取り外すときには、この遠隔操作棒７を逆方向に回転させて、その係止突起と係止溝５ａとの係止状態を解除して引き抜くと簡単に取り外すことができるようになっている。
【００２４】
尚、図１と図４〜図７においては、遠隔操作棒７と伸縮棒１との接続部分は、屈曲自在な部材が使用されていて、その外周に復帰用スプリング２５が配設されており、伸縮棒１に対して遠隔操作棒７の角度を調整できるように、この接続部分で屈曲するようになっており、また復帰用スプリング２５で元の垂下した状態に復帰するように付勢されている。
【００２５】
次に上記のように構成された各器具を用いた架線の切断方法について、図４〜図７を参照しつつ説明する。
【００２６】
先ず、図４に示すように、伸縮棒１の一方側に設けられた掴線器６の掴線部６ａを活線Ｋに吊持状態で引っ掛け、この状態で伸縮棒１の回転入力部５に遠隔操作棒７の先端を接続する。
【００２７】
次に、図５に示すように、遠隔操作棒７を上向きに押し上げて伸縮棒１を活線Ｋに向けて持ち上げる。
【００２８】
そして、図６に示すように、伸縮棒１が活線Ｋに沿って水平向きになった状態で、他方側の掴線器６の掴線部６ａを活線Ｋに吊持状態で引っ掛ける。
【００２９】
次に、図７に示すように、遠隔操作棒７を回転して、伸縮棒１の内部のネジ機構４を回転作動して、この伸縮棒１を縮め、一対の掴線器６、６で活線Ｋの２箇所を掴持状態としつつ２箇所の掴線器６、６を接近させてその間の活線Ｋを撓ませ、図８に示すように、この撓ませた部分を前記遠隔切断具８で切断する。
【００３０】
そして、図９に示すように、活線Ｋのが切断されて分離された状態とする。
【００３１】
本実施形態の架線の切断方法によれば、一方側の掴線器６を活線Ｋに吊持状態で引っ掛け、この掴線器６を取り付けた伸縮棒１の他方側を遠隔操作棒７で持ち上げてこの伸縮棒１が活線Ｋに沿った状態となったときに、他方側の掴線器６を活線Ｋに吊持状態で引っ掛けてから、遠隔操作棒７を回転し、内部のネジ機構４回転作動させて伸縮棒１を縮め、一対の掴線器６、６で活線Ｋの２箇所を掴持状態としつつ２箇所の掴線器６、６を接近させてその間の活線Ｋを撓ませ、この活線Ｋの撓ませた部分を遠隔切断具８で切断するようにしたので、活線の切断作業を一人の作業員だけでも簡単に行うことができる。しかも、この切断作業を遠隔操作によって、活線Ｋから離れた位置で行えるので、安全である。
【００３２】
また、伸縮棒１を伸縮させる操作が遠隔操作棒７を回転させるだけであり、その操作を簡単に行うことができる。
【００３３】
【発明の効果】
以上説明したように、本発明の架線の切断方法によれば架線の切断作業を一人の作業員だけでも簡単に行うことができる。
【００３４】
しかも、これらの作業を遠隔操作によって架線から離れた位置で行うことができるので安全な状態で切断作業を行うことができ、作業性、操作性、安全性に優れている。
【図面の簡単な説明】
【図１】図１は本発明の実施形態の架線の切断方法を示す正面図である。
【図２】伸縮棒の一例を示す断面図である。
【図３】掴線器の一例を示す正面図である。
【図４】実施形態の架線の切断方法において、一方側の掴線器を活線に吊持状態て引っ掛け、遠隔操作棒を伸縮棒の回転入力部に接続した状態を示す正面図である。
【図５】実施形態の架線の切断方法において、遠隔操作棒で伸縮棒を活線に向けて持ち上げている状態を示す正面図である。
【図６】実施形態の架線の切断方法において、伸縮棒を活線に沿わせて水平向きとし、他方側の掴線器を活線に吊持状態て引っ掛けた状態を示す正面図である。
【図７】実施形態の架線の切断方法において、遠隔操作棒を回転して一対の掴線器で活線を掴持状態としつつ伸縮棒を縮めて活線を撓ませた状態を示す正面図である。
【図８】実施形態の架線の切断方法において、活線を撓ませた状態で、活線を遠隔操作棒で切断する状態を示す正面図である。
【図９】実施形態の架線の切断方法において、活線を切断した後の状態を示す正面図である。
【符号の説明】
Ｋ        活線
１        伸縮棒
４        ネジ機構
５        回転入力部
６        掴線器
６ａ      掴線部
７        遠隔操作棒
８        遠隔切断具
【図１】
0004142162.tif 000002
【図２】
0004142162.tif 000003
【図３】
0004142162.tif 000004
【図４】
0004142162.tif 000005
【図５】
0004142162.tif 000006
【図６】
0004142162.tif 000007
【図７】
0004142162.tif 000008
【図８】
0004142162.tif 000009
【図９】
0004142162.tif 000010